(57)【特許請求の範囲】
【請求項１】
車両のドアのドアサッシュに取り付けられる車両用外装部品であって、
外観部に意匠面を形成し、端部に係合部を有する第一構成部と、
前記係合部が係合される被係合部と、リブ及び車体への取付部の少なくともいずれか一つとを有し、樹脂成形される第二構成部と、を備え
前記係合部が前記被係合部と係合した状態で、前記第一構成部は前記被係合部と前記リブ又は前記取付部とを覆うとともに均一な板厚部材及び透過性材料から構成され、前記第１構成部と前記第２構成部の間に発光する光源が配設され、前記ドアの機能と連動して前記光源が発光することにより前記第１構成部に情報表示する、車両用外装部品。
【請求項２】
前記第二構成部は、硬質樹脂部と軟質樹脂部を備え、二色成形により一体で成形される、ことを特徴とする請求項１に記載の車両用外装部品。
【請求項３】
前記光源は有機ＥＬである、ことを特徴とする請求項１または請求項２のいずれかに記載の車両用外装部品。
【発明の詳細な説明】
【技術分野】
【０００１】
本発明は、外観部に意匠面を備えた車両用外装部品に関する。
【背景技術】
【０００２】
従来、車両用ドアサッシュ（外装部品）では、ガラスランチャンネルの収納される溝部、及び当該溝部の背面側に設けられるリテーナ部等を一定の横断面形態を有するサッシュ型材にて形成させるとともに、意匠面を形成することとなるフランジ部側を合成樹脂成形品等からなるガーニッシュにて形成させ、これらを適宜組み合わせる、具体的には、サッシュ型材の表面側にガーニッシュを重ね合わせることによって形成させるようにしたものがある（例えば、特許文献１参照。）。
【０００３】
また、従来、車両用ピラーガーニッシュ（外装部品）では、上部ピラーガーニッシュに形成した段部の表面に下部ピラーガーニッシュの裏面を重ね合わせて、上部ピラーガーニッシュに形成した段部の表面のヒケが見えないようにして、ヒケの発生による外観の低下を防止するものがある（例えば、特許文献２参照。）。
【特許文献１】特開２００４−３３８５２２号公報
【特許文献２】特開２００５−２４７１８２号公報
【発明の開示】
【発明が解決しようとする課題】
【０００４】
しかしながら、従来の車両用ドアサッシュでは、意匠面を形成することとなるフランジ部側を合成樹脂成形品等からなるガーニッシュにて形成するが、サッシュ型材との係合部、リブ、車体への取付部の裏面側である意匠面にヒケが発生する問題がある。
【０００５】
また、従来の車両用ピラーガーニッシュでは、上下分割部に隙間が発生して、ピラーガーニッシュの一体感が損なわれる問題がある。上下のピラーガーニッシュで外観の色合わせや外形形状の合わせが要求されるため、製品個別に寸法精度管理と部品間調整が必要になる。またリブの設定位置が上下のピラーガーニッシュの重ね合わせ部に限定されるため、リブ設置の位置により車両のデザインが制約を受ける問題がある。
【０００６】
本発明は上記問題点に鑑みてなされたものであり、車両用外装部品の意匠面にヒケの発生の問題がなく、意匠面に一体感があり、製品個別で寸法精度管理と部品間調整が不要で、リブや車体への取付部の設定位置が制約を受けない、意匠性の高い車両用外装部品を提供することを目的とする。
【課題を解決するための手段】
【０００７】
上記課題を解決するため、請求項１に記載の発明は、車両のドアのドアサッシュに取り付けられる車両用外装部品であって、外観部に意匠面を形成し、端部に係合部を有する第一構成部と、前記係合部が係合される被係合部と、リブ及び車体への取付部の少なくともいずれか一つとを有し、樹脂成形される第二構成部と、を備え前記係合部が前記被係合部と係合した状態で、前記第一構成部は前記被係合部と前記リブ又は前記取付部とを覆うとともに均一な板厚部材及び透過性材料から構成され、前記第１構成部と前記第２構成部の間に発光する光源が配設され、前記ドアの機能と連動して前記光源が発光することにより前記第１構成部に情報表示する。
【０００８】
また、請求項２に記載の発明は、前記第二構成部は、硬質樹脂部と軟質樹脂部を備え、二色成形により一体で成形される、ことを特徴とする。
【０００９】
また、請求項３に記載の発明は、前記光源は有機ＥＬである、ことを特徴とする。
【発明の効果】
【００１１】
請求項１に記載の発明では、外観部の意匠面を形成する第一構成部と、車体に取り付ける骨格部を形成する第二構成部の２部品から構成される。第二構成部にヒケ発生の原因となる被係合部、リブ、車体への取付部（突起部等）を設けても、第一構成部により被係合部、ヒケが覆われるため、外装部品の意匠性を損ねることがない。また、第一構成部は端部に係合部が設けられるため、意匠面に一体感が得られ、従来の製品個別で寸法精度管理と部品間調整が不要になる。また、第一構成部は端部にフランジ部を有する単純な形状なため、外装用フィルムの貼り付け、塗装、印刷などを施すことが可能となり、様々なデザインに対応できる。また、第二構成部は外観の品質を問われないため、第一構成部の保持と車体への取り付け剛性を維持する最適形状及び材料（ガラス繊維入り樹脂、炭素繊維入り高強度樹脂、紫外線劣化し易い樹脂、表面品質が劣るリサイクル材などの安価な樹脂等）の選択が可能になる。また、第二構成部のリブの位置はデザイン、構造による制約を受けないため、設計の自由度が向上する。また、第一構成部は端部にフランジ部を設ける簡単な形状であるため、均一な板厚部材である金属（アルミ、ＳＵＳ、鉄、チタン等）や樹脂（ＰＰ、ＰＥ、ＡＣ、ＡＢＳ、ＰＣ等）の幅広い材料を加工して利用できる。また、第一構成部は透過性材料であるため、第一構成部と第二構成部の間に情報表示手段を設けることで、車外への情報表示等が可能になる。また、第一構成部と第二構成部の間に発光部材を設けることで、ドア機能と連動した情報表示等が可能になり、乗員が視認できる。
【００１３】
また、請求項２に記載の発明では、第二構成部は二色成形により成形されるため、リブ、突起等を含む骨格部は硬質樹脂部で、クリップ、リップ、見切りシール等を軟質樹脂部で一体での成形が可能になり、加工工数、組付け工数、コストを低減できる。
【発明を実施するための最良の形態】
【００１５】
以下に本発明の実施形態を図面を参照しつつ詳細に説明する
（第１実施例）
図１は、本発明の第１実施例で、車両のピラーガーニッシュ１（外装部品）の断面図である。ピラーガーニッシュ１は、外観部に意匠面１１を形成し端部にフランジ部１２（係合部）を有するガーニッシュカバー１０（第一構成部）と、リブ２１と嵌合部２２（被係合部）を有しクリップ部４２（取付部）（図３）によりドアサッシュ３０（車体）に取り付けられるガーニッシュボディー２０（第二構成部）とを備え、ガーニッシュカバー１０のフランジ部１２とカーニッシュボディー２０の嵌合部２２とを嵌合（係合）させて構成されている。
【００１６】
ガーニッシュカバー１０は、均一な板厚のアルミ材であり、端部に曲げ加工によるフランジ部１２を形成する。またフランジ部１２を形成した後にアルマイト処理を行う。アルマイト処理の他、外装用フィルムの貼り付け、塗装、印刷などを施すことが可能で、様々なデザインに対応できる。
【００１７】
ガーニッシュボディー２０は、ピラーガーニッシュ１の骨格部を形成しており、長さ方向に延びるリブ２１と嵌合部２２とクリップ部４２（図３）が一体で樹脂成形される。樹脂材としては、ガラス繊維入り樹脂、炭素繊維入り高強度樹脂、紫外線劣化し易い樹脂、表面品質が劣るリサイクル材などの安価な樹脂等の選択が可能である。
【００１８】
図２は、ピラーガーニッシュ１の分解斜視図である。ガーニッシュカバー１０の意匠面１１は、ガーニッシュボディー２０全体を覆うように構成される。したがって、ピラーガーニッシュ１の外観からガーニッシュボディー２０を樹脂成形した際にできるヒケ、嵌合部２２は、外観側からは見えない。
【００１９】
本発明の第１実施例では、ピラーガーニッシュ１は、外観部の意匠面１１を形成するガーニッシュカバー１０とドアサッシュ３０に取り付ける骨格部を形成するガーニッシュボディー２０の２部品から構成される。ガーニッシュボディー２０にヒケを発生する様なリブ２１、クリップ部４２（図３）を設けても、ガーニッシュカバー１０によりヒケが覆われるため、ピラーガーニッシュ１の外観を損ねることがない。また、ガーニッシュカバー１０は一体で成形されるため、ピラーガーニッシュ１は一体感が得られ、従来の製品個別で寸法精度管理と部品間調整が不要になる。また、ガーニッシュカバー１０はフランジ部１２を有する単純な形状なため、外装用フィルムの貼り付け、塗装、印刷などを施すことが可能で、様々なデザインに対応できる。また、ガーニッシュボディー２０は外観の品質を問われないため、ガーニッシュカバー１０とドアサッシュ３０への取り付け剛性を維持する最適形状及び材料（ガラス繊維入り樹脂、炭素繊維入り高強度樹脂、紫外線劣化し易い樹脂、表面品質が劣るリサイクル材などの安価な樹脂等）の選択が可能である。また、ガーニッシュボディー２０のリブ２１の位置はデザイン、構造による制約を受けないため、設計の自由度が向上する。
【００２０】
また、ガーニッシュカバー１０は端部にフランジ部１２を設けた簡単な形状であるため、均一な板厚部材である金属（アルミ、ＳＵＳ、鉄、チタン等）や樹脂（ＰＰ、ＰＥ、ＡＣ、ＡＢＳ、ＰＣ等）の幅広い材料を加工して利用できる。
【００２１】
（第２実施例）
図３は、本発明の第２実施例の車両のピラーガーニッシュ２（外装部品）の断面図である。第１実施例と共通の部位、形状については共通の符番を用いて説明し、主に第１実施例との違いについて説明する。
【００２２】
ピラーガーニッシュ２は、外観部の意匠面１１を形成するガーニッシュカバー１０とガーニッシュボディー４０の２部品から構成される。ガーニッシュボディー４０の骨格部４１は硬質樹脂から成り、ドアサッシュ３０に取り付くクリップ部４２（取付部）は軟質樹脂で、二色成形により一体で型成形される。
【００２３】
図４は、本発明の第２実施例の変形例で、ピラーガーニッシュ３（外装部品）は、外観部の意匠面１１を形成するガーニッシュカバー１０とドアサッシュ３０に取り付ける骨格部５１を形成するガーニッシュボディー５０の２部品から構成される。ガーニッシュボディー５０の骨格部５１は硬質樹脂から成り、ドアサッシュ３０と接触するリップ部５２は軟質樹脂で、二色成形により一体で型成形される。
【００２４】
図５は、本発明の第２実施例の変形例で、ピラーガーニッシュ４（外装部品）は、外観部の意匠面１１を形成するガーニッシュカバー１０とドアサッシュ３０に取り付ける骨格部６１を形成するガーニッシュボディー６０の２部品から構成される。ガーニッシュボディー６０の骨格部６１は硬質樹脂から成り、ドアサッシュ３０と接触する見切りシール部６２は軟質樹脂で、二色成形により一体で型成形される。
【００２５】
本発明の第２実施例では、ガーニッシュボディー４０、５０、６０は二色成形により、骨格部４１、５１、６１は硬質樹脂で、クリップ部４２、リップ部５２、見切りシール部６２は軟質樹脂で、一体で成形される。よって、ピラーガーニッシュ２、３、４の加工工数、組付け工数、コストを低減できる。また、軟質樹脂を一体成形することで、エプト、不織布を貼らずに水、風をシールすることができる。
【００２６】
（第３実施例）
図６は、本発明の第３実施例で、ガーニッシュカバー７０とガーニッシュボディー８０の間に光源８３を備えたピラーガーニッシュ５（外装部品）の断面図である。第１、２実施例と共通の部位、形状については共通の符番を用いて説明し、主に第１、２実施例との違いについて説明する。
【００２７】
ガーニッシュカバー７０は、透過性材料（アクリル、ＰＥＴ等）により構成される。ガーニッシュカバー７０の裏面には情報表示文字「ＯＰＥＮ」が施されている。ガーニッシュボディー８０に設けたＬＥＤ、ランプ等の光源８３は、ドアサッシュ３０から図示しないハーネスにより給電される。
【００２８】
図７は、ピラーガーニッシュ５の外観を示す説明図である。乗員がドアを開けると、ドアの開動作と連動して光源８３は給電されて発光する。このとき、ガーニッシュカバー７０の裏面に施された情報表示文字「ＯＰＥＮ］が外観側に浮かび表示される。
【００２９】
第３実施例の発明では、ガーニッシュカバー７０に施された情報表示を乗員が視認でき、ドア機能と連動した情報表示等が可能になる。
【００３０】
また、光源８３に有機ＥＬを用いた場合には、画像や文字情報を有機ＥＬ上に表示することができる。この場合、ガーニッシュカバー７０の裏面７１もしくは表面７２には表示の透過を妨げないレベル（透過率２０％程度）で印刷、塗装、アルミ蒸着フィルムの貼り付け等を行うことで、非発光時は有機ＥＬが認識されず、発光時のみ表示部として認識される。
【００３１】
また、スマートキーシステムと連動し、ユーザーの接近を認識すると同時に、または任意に設定した周期で発光や情報の表示を行う。また事前に車載ナビシステムと連携させることで、任意の情報を状況に応じて発光又は表示できる。例えば、車両盗難システムの異常警報を表示部で社外者に伝達する強発光や、燃料電池充電中の点滅表示等、車両の状態を開示する機能として活用できる。
【００３２】
本発明では、車両用外装部品としてピラーガーニッシュを例に説明したが、外装部品はこれに限定されるものではなく、ドア、ドアハンドル、ドアステップ、ルーフ等であってもよい。また、車体としてドアサッシュを例に説明したが、車体はこれに限定されるものではなく、ドアパネルやボデーパネルなどであってもよい。
【図面の簡単な説明】
【００３３】
【図１】本発明の第１実施例で、車両のピラーガーニッシュの断面図である。
【図２】本発明の第１実施例で、ピラーガーニッシュの分解斜視図である。
【図３】本発明の第２実施例で、ガーニッシュボディーが硬質樹脂部と軟質樹脂部を備えた車両のピラーガーニッシュの断面図である。
【図４】本発明の第２実施例の変形例である。
【図５】本発明の第２実施例の変形例である。
【図６】本発明の第３実施例で、ガーニッシュカバーとガーニッシュボディーの間に光源を備えたピラーガーニッシュの断面図である。
【図７】本発明の第３実施例で、ピラーガーニッシュの外観を示す説明図である。
【符号の説明】
【００３４】
１、２、３、４、５  ピラーガーニッシュ（外装部品）
１０、７０  ガーニッシュカバー（第一構成部）
１１  意匠面
１２  フランジ部（係合部）
２０、４０、５０、６０、８０  ガーニッシュボディー（第二構成部）
２１  リブ
２２  嵌合部（被係合部）
３０  ドアサッシュ（車体）
４２  クリップ部（取付部）
【図１】
0005338098.tif 000002
【図２】
0005338098.tif 000003
【図３】
0005338098.tif 000004
【図４】
0005338098.tif 000005
【図５】
0005338098.tif 000006
【図６】
0005338098.tif 000007
【図７】
0005338098.tif 000008